(57)【要約】【課題】猫を多頭飼いしている状況において、相性の悪い猫同士が、お互いの顔を見ても匂いしても、興奮してしまい喧嘩をしてしまうという場合に、お互いの存在や匂いに、少しずつ慣らして興奮しなくなるように訓練できる猫用マスク及びトレーニング方法を提供すること。【解決手段】猫の顔面を包み込み装着するトレーニングマスクであって、額を覆う額覆部と、メッシュ生地、透明素材または半透明素材からなる目鼻覆部と、前記額覆部の右上、真上及び左上に設けられた三本の帯状バンドと、前記目鼻覆部の右下及び左下に設けられた二本の顎下帯からなることを特徴とする猫用マスクを提供する。【選択図】図１
2015080472.tif 000002
【特許請求の範囲】
【請求項１】
猫の顔面を包み込み装着する猫用マスクであって、額を覆う額覆部と、メッシュ素材、透明素材または半透明素材のいずれかでつくられた目鼻覆部と、前記額覆部の右上、真上及び左上に設けられた三本の帯状バンドと、前記目鼻覆部の右下及び左下に設けられた二本の顎下帯からなることを特徴とする猫用マスク。
【請求項２】
前記帯状バンドの先端及び前記顎下帯の先端に、前記帯状バンドまたは前記顎下帯の長さ調整が可能な留め具を設けたことを特徴とする請求項１に記載の猫用マスク。
【請求項３】
前記額覆部の真上に設けられた帯状バンドの先端及び前記日本の顎下帯の縁にループ状の紐状物を取り付けたことを特徴とする請求項１または請求項２に記載の猫用マスク。
【請求項４】
前記目鼻覆部は、黒や焦げ茶色、濃紺その他の濃い色の素材でつくられたことを特徴とする請求項１から請求項３いずれか１つに記載の猫用マスク
【請求項５】
請求項１から請求項４いずれか１つの猫用マスクを少なくとも１匹の猫に装着し、猫の匂いのついた前記トレーニングマスクを別の猫に装着することによって、猫同士がお互いの匂いに慣れて喧嘩をしなくなるようにする猫の喧嘩防止トレーニング方法。
【発明の詳細な説明】
【技術分野】
【０００１】
この発明は、猫を多頭飼いしている状況において、相性の悪い猫同士が、お互いの顔を見ても匂いしても、興奮してしまい喧嘩をしてしまうという場合に、お互いの存在や匂いに、少しずつ慣らして興奮しなくなるように訓練できるトレーニングマスク及びトレーニング方法に関する。
【背景技術】
【０００２】
猫を複数頭飼育していると、どうしても相性の悪い猫の組み合わせが生じる。そして、一匹が怒りのため興奮状態になると、他の猫たちも興奮し大きな喧嘩が勃発する。猫は、興奮すると、足の裏や肛門近傍から警戒フェロモンを放出し、それが周囲の猫たちを刺激するためである。猫同士の喧嘩は、ときには飼い主をも巻き込み怪我をしたりして、大変危険である。
【０００３】
猫同士の喧嘩を防止するため、飼い主は、相性の悪い猫同士、顔を合わせないよう、それぞれ別の部屋に入れたり猫の数だけケージを用意したりして隔離して飼育する必要があるが、この方法は、自宅内で行うには、部屋数やスペースの問題から限界がある。また、さらに、限定された範囲しか行動できないことが猫自身のストレスとなり、攻撃的な性格がエスカレートする恐れもある。
【０００４】
そこで、動物が噛み付くことを予防するため、各種、噛み付き防止口輪が発案されている。たとえば、特許文献１は、犬用に発明された吠え及び噛み付き防止マスクであり、特許文献２は、犬用に考案された目隠しつき口輪である。
【先行技術文献】
【特許文献】
【０００５】
【特許文献１】特願平９−５２３９３２号
【特許文献２】実願２００５−２３４４号
【発明の概要】
【発明が解決しようとする課題】
【０００６】
しかしながら、特許文献１の口輪は、犬用に発明されたものであり、鼻及び口が前に突き出た犬の顔面にフィットするよう作られているため、目と鼻が犬に比べて平坦である猫の顔面にはフィットしない。また、堅い素材で作られた口輪で口の開閉を制限し、それが一種の罰となって躾を行うことを目的としているため、装着感が悪く、猫に大変なストレスがかかる。さらに、特許文献１の口輪では、目の部分は開放されているため、動物同士の喧嘩で目を負傷する恐れがある。特許文献２の口輪は、柔らかい素材でできているので、装着感は向上し、着脱可能な目隠し部があることで目も保護できるが、口の開閉は全くできなくなるため猫に装着した場合、猫に大変なストレスがかかる点は変わらず、また、目隠しをつけると視界を遮られるので、猫には大変なストレスであり、足を踏み外して高いところから落ちてしまったり転んでしまったりと、事故も起こりやすく危険である。
【０００７】
そこで、本発明は、猫の顔面にフィットする形状で、かつ、目を保護しつつ視界を遮らない装着感の良い猫用マスクを提供する。本発明の猫用マスクは、噛み付き防止や喧嘩による怪我防止だけでなく、猫同士の関係を改善することにより、喧嘩を減らして怪我を予防するので、根本的な解決の一助ともなる。
【課題を解決するための手段】
【０００８】
そこで、この発明の猫用マスクは、額を覆う額覆部と、メッシュ素材、透明素材または半透明素材のいずれかでつくられた目鼻覆部と、前記額覆部の右上、真上及び左上に設けられた三本の帯状バンドと、前記目鼻覆部の右下及び左下に設けられた二本の顎下帯からなることを特徴とする。
【０００９】
この発明によれば、目鼻覆部によって、口の開閉が制限されるため、猫同士の喧嘩が勃発した際に、相手の猫に噛み付いて怪我を負わせることを防げる。また、マスクで顔面を覆うことにより、猫の表情が見えにくいので、猫が怒って威嚇しても、威嚇の表情が相手の猫には伝わりにくくなり、相手の猫が刺激されにくく、喧嘩勃発のリスクを減らすことができる。さらに、額覆部が猫の額近傍を覆っているため、喧嘩が勃発した際でも、相手の猫に噛み付かれて頭部に怪我を負うことを防ぐことができる。目鼻覆部は、ネット素材、透明素材または半透明素材でできているので、装着している猫の視界は妨げられず、呼吸も妨げられないので猫にかかるストレスは少ない。また、目や鼻が露出していないので、相手の猫から攻撃されたときでも、目や鼻を保護することができる。
【００１０】
また、この発明の猫用マスクの帯状バンドの先端及び前記顎下帯の先端には、前記帯状バンドまたは前記顎下帯の長さ調整が可能な留め具を設けたことを特徴とする。
【００１１】
この発明によれば、猫の顎の下で左右の帯状バンドが最適な長さになるよう、位置を選んで留め合わせることができるので、どんなサイズの猫にも、猫用マスクをしっかりと固定できる。また、左右の帯状バンドの留める位置を変えることで、装着した猫が口を開閉できるようにも調節できるので、食事のときは緩めに留め、食事以外のときは、ぴったりフィットするように留める等、それぞれのシーンに応じて臨機応変に調節できる。
【００１２】
また、この発明の猫用マスクの前記額覆部の真上に設けられた帯状バンドの先端及び前記日本の顎下帯の縁にループ状の紐状物を取り付けたことを特徴とする。
【００１３】
この発明によれば、前記ループ状の紐状物に首輪を通し、首輪を猫の首に装着させることによって猫用マスクを猫の頭部に確実に固定できるので、猫が猫用マスクの装着を嫌がって外そうとしたりしても、猫用マスクが外れることがない。また、猫同士の激しい喧嘩が勃発しても、猫用マスクが猫から外れてしまうことがないので、猫の頭部を確実に保護できて安全である。
【００１４】
また、この発明の猫用マスクの前記目鼻覆部は、黒や焦げ茶色、濃紺その他の濃い色の素材でつくられたことを特徴とする。
【００１５】
この発明によれば、目鼻覆部が濃い色であるため、薄い色を通して見るより視界が良好となり、猫にかかるストレスが少なく、転倒や転落の危険が少なくなり、安全である。
【００１６】
また、この発明の猫用マスクを使った猫の喧嘩防止トレーニング方法は、少なくとも１匹の猫に猫用マスクを装着し、前記猫の匂いのついた猫用マスクを別の猫に装着することによって、猫同士がお互いの匂いに慣れて喧嘩をしなくなるようにすることを特徴とする。
【００１７】
この発明によれば、相性の悪い複数の猫がいる場合に、少なくとも一匹に猫用マスクを装着し、そのあと、猫の匂いのついた猫用マスクを別の猫に装着することによって、すこしずつ、お互いの匂いに慣らすことができるので、猫同士の喧嘩を抑制することができる。また、猫用マスクは、装着した猫の表情を見えにくくするので、猫が怒って威嚇した場合でも、威嚇の表情が他の猫に伝わりにくく、威嚇に刺激された猫達が喧嘩をはじめることを防止することができる。
【図面の簡単な説明】
【００１８】
【図１】この発明の実施の形態１にかかる猫用マスクの未使用時平面図である。
【図２】図１に示した猫用マスクの未使用時底面図である。
【図３】図１に示した猫用マスクの右頬帯留め具と左頬帯の留め具を留めた状態を示す参考平面図である。
【図４】図１に示した猫用マスクを猫に装着した状態を示す斜視図である
【図５】図１に示した猫用マスクを猫に装着した状態を示す背面図である。
【図６】この発明の実施の形態２にかかる猫用マスクの未使用時平面図である。
【図７】図６に示した猫用マスクの未使用時底面図である。
【図８】図６に示した猫用マスクを猫に装着した状態を示す右側面図である。
【図９】図６に示した猫用マスクを猫に装着した状態を示す背面図である。
【発明を実施するための形態】
【００１９】
（実施の形態１）
以下、図１〜図５を参照し、実施の形態１にかかる猫用マスク１００の構成を説明する。この猫用マスク１００は、猫を多頭飼いしている状況下で、猫同士の喧嘩を抑制し、喧嘩が勃発しても猫に怪我を負わせないために猫に装着して使用するものである。
【００２０】
図１に示すように、この猫用マスク１００は、未使用時の平面視、中央部分の上半分が略長方形状の額覆部１６、中央部分の下半分が逆台形の目鼻覆部１１が設けられている。額覆部１６は、猫に装着したとき猫の額を覆う。目鼻覆部１１は、猫に装着したとき、目と鼻の辺りに位置する。目鼻覆部１１は、猫の視界を妨げず、また、呼吸を妨げないよう、通気性の良いメッシュ生地素材でできている。また、額覆部１６、目鼻覆部１１、右頬帯１２及び左頬帯１３は、猫の顔面を覆うことができるよう立体的になるように縫いあわされて形成されている。
【００２１】
猫用マスク１００の額覆部１６及び目鼻覆部１１の左右には、それぞれ右頬帯１２及び左頬帯１３が設けられている。右頬帯１２及び左頬帯１３の、額覆部１６と接する側と対向する側の先端は帯状に細長くなっており、右頬帯１２の表面に留め具１４として面ファスナーのフック面が設けられている。留め具１４は、留め合わせる位置を調節できるよう、ある程度の長さを持ったものが取り付けられている。本実施の形態１では留め具１４は、細長い長方形状の面ファスナーフック面となっている。
【００２２】
図２は、図１に示した猫用マスク１００の底面図である。図２に示すように、左頬帯１３の裏面に留め具１５として面ファスナーのループ面が取付けられている。留め具１５も、留め合わせる位置を調節できるよう、ある程度の長さを持ったものが取り付けられている。本実施の形態１では留め具１５は細長い長方形状の面ファスナーループ面となっている。
【００２３】
留め具１４及び留め具１５は本実施の形態１では面ファスナーが縫い付けられているが、留め具１４及び留め具１５は、面ファスナーのほか、ボタンやホック、ファスナー等としても良い。留め具１４と留め具１５を猫の顎の下で留め合わせることによって、猫用マスク１００を猫に、しっかりと固定する。
【００２４】
目鼻覆部１１の上側にある額覆部１６は、猫に装着したとき額にあたる部分を覆う。額覆部１６は、猫同士の喧嘩が勃発したときに、引っ掻かれたり噛み付かれたりされたときに怪我を負わないよう丈夫なビニール生地でできていて、猫の顔面とくに額部分を保護する。額覆部１６の素材は、ビニール生地のほか、綿素材やポリエステルや架線素材でも良い。額覆部１６の素材は、爪が引っかかりにくく、また、爪によって破られないよう、凹凸の少ない滑らかな素材で、かつ、丈夫な素材が適している。
【００２５】
額覆部１６の右上側と左上側には、細長い帯状物である右上ベルト１７及び左上ベルト１８が設けられている。図１に示すように、右上ベルト１７の先端表面には留め具１９として面ファスナーのループ面が取り付けられている。図２に示すように、左上ベルト１８の裏面には留め具２０として面ファスナーのフック面が取付けられている。留め具１９及び留め具２０は、留め合わせる位置を調節できるよう、ある程度の長さを持ったものが取り付けられている。本実施の形態１では留め具１９及び留め具２０は細長い長方形状の面ファスナーフック面となっている。
【００２６】
額覆部１６の真上側、すなわち、右上ベルト１７と左上ベルト１８との間には、頭頂ベルト２１が設けられている。図２に示すように、頭頂ベルト２１の先端表面には留め具２２として、面ファスナーのフック面が取り付けられている。図１に示すように、左上ベルト１８の先端表面には留め具２４として面ファスナーのループ面が取り付けられている。留め具２４は、留め合わせる位置を調節できるよう、ある程度の長さを持ったものが取り付けられている。本実施の形態１では留め具２４は細長い長方形状の面ファスナーフック面となっている。
【００２７】
頭頂ベルト２１は、右耳と左耳の間を通って後頭部で左上ベルト１８と交わり、頭頂ベルト２１の先端裏面に設けられた留め具２２と左上ベルト１８の表面に設けられた留め具２４とを留め合わせることにより、猫用マスク１００を猫の頭部にしっかりと固定する。
【００２８】
本実施の形態では、留め具１９と２０、留め具２２と２４は、それぞれ面ファスナーを用いているが、カギホック、ボタン、その他の留め具としても良い。右上ベルト１７及び左上ベルト１８の長さは、猫に装着したときに、右上ベルト１７と左上ベルト１８が、それぞれ耳の下側を通って、それぞれ後頭部で留められるのに十分な長さがあればよい。右上ベルト１７と左上ベルト１８の具体的寸法は、中型猫用のトレーニングマスクの場合、１０センチから２０センチまでが良い。
【００２９】
本実施の形態では、頭頂ベルト２１の先端に留め具２２が設けられているが、頭頂ベルト２１の先端を右上ベルト１７と左上ベルト１８の下に入れて固定することにすれば留め具２２及び留め具２４は省略しても良い。
【００３０】
次に、図３から図５を参照して、本実施の形態１にかかる猫用マスクの装着方法について説明する
【００３１】
まず、猫用マスク１００を猫に装着する場合、装着する猫をよく観察し、体調に問題がなく、また、興奮しておらず、気持ちが落ち着いていることを確認する。猫が落ち着かない様子のときは、無理に装着しないようにする。また、猫にトレーニングマスクを装着するのは、飼い主または猫が警戒しない人間が行うようにする。
【００３２】
最初に、猫用マスク１００の右頬帯１２及び左頬帯１３の留め具１４及び１５を予め留め合わせておく。それから、猫用マスクを持ち、猫をびっくりさせないよう背後ではなく正面から猫に近づいて、猫用マスク１００の下側を猫の顎にかぶせる。さらに、猫の顔面に額覆部１６及びメッシュ部１１をあてがい、猫の頭の上に頭頂ベルト２１を沿わせ、右上ベルト１７と左上ベルト１８を両耳の下に沿わせて先端にある留め具１９と留め具２０、留め具２２と留め具２４を猫の後頭部中央で、すばやく留め合わせる。猫用マスクを正しく装着すると、図２のように、目鼻覆部１１から猫の目と鼻が見える。また、猫用マスク１００を装着している猫を背後から見ると、図３のように、耳の下で右上ベルト１７と左上ベルト１８が留めあわされている。
【００３３】
目鼻覆部１１は、本実施の形態１ではメッシュ素材でできているので、猫の視界を遮らず、猫にかかるストレスが少ない。また、濃い色のメッシュ素材を使用しているので、薄い色のメッシュを通して外を見るよりも良好な視界を確保できる。本実施の形態１では、目鼻覆部１１をメッシュ素材としたが、メッシュ素材以外にも、透明な素材（ビニール等）や、半透明な薄いプラスチックシートで目鼻覆部１１を形成しても良い。ビニール素材やプラスックシートで目鼻覆部１１を形成するときは、鼻があたる場所に小さな呼吸用の穴をあけておくと良い。
【００３４】
留め具１４と留め具１５を留め合わせ位置は、食事のときは、口の開閉が制限されないような位置、すなわち、右頬帯１２及び左頬帯１３が長めになるような位置で留め合わせると良い。食事が終わったら、右頬帯１２と左頬帯１３をきつめに締めなおして留め具１４と留め具１５とを留め合わせる。
【００３５】
また、猫用マスク１００の装着を初めて行うときは、  右頬帯１２及び左頬帯１３の長さを十分にとって、きつくない位置で留め具１４及び１５を留め合わせるようにする。猫が猫用マスク１００の装着に慣れてきたら、じょじょに、きつい位置で留め合わせるようにする。
【００３６】
それぞれの猫の、その日の体調や、その日の機嫌を見ながら、猫にかかるストレスが少なくなるよう、最適な締め付け具合になるよう、右頬帯１２及び左頬帯１３の留め具１４及び１５の留め合わせ位置を調節すると良い。
【００３７】
猫用マスク１００を初めて装着する時は、装着時間は１〜２分間とする。あまり無理をしないように、途中で猫が嫌がるようなら、すぐに猫用マスク１００を外してやるのが良い。
【００３８】
猫用マスク１００は、右頬帯１２及び左頬帯１３の留め具１４及び１５を留め合わせる位置を数段階に調節できるので、食事のときは、留めあわせる位置を外側にすれば、口の開閉ができ、猫用マスク１００を装着したまま食事ができる。食事後は、留め具１４及び１５を留め合わせる位置を内側にする。
【００３９】
最初のうちは、猫がストレスを感じないよう、口の開閉ができる緩めの位置で留め合わせるようにし、慣れてきたら、口の開閉ができないよう、きつめに留め合わせるようにする。留め具１４と留め具１５とを留め合わせる位置は、適時、猫の様子を見ながら調整し、猫がストレスを感じないような位置を確認しつつ装着する。
【００４０】
猫用マスク１００の装着感に慣れてもらうため、毎日短時間ずつで良いので、猫用マスク１００を猫に装着するようにする。最初は嫌がっても、段々と、装着感に慣れて、外そうとしなくなるので、それまで辛抱強く、毎日、すこしずつ装着する訓練をする。
【００４１】
次に、猫用マスク１００を用いた猫のトレーニング方法について説明する。
【００４２】
本実施の形態１の猫用マスク１００を用いたトレーニングは、猫を多頭飼いしている場合において、相性の悪い猫同士が、お互いの顔を見たり匂いを嗅いだりすると興奮して喧嘩をしてしまうという場合に、お互いの存在や匂いに、少しずつ慣らして喧嘩を抑制していくことを目的としたトレーニング方法である。
【００４３】
まず、トレーニングを始める前提として、以下の要件を満たす必要がある。
【００４４】
第一に、飼い主が、喧嘩をする２匹の猫の双方に、それぞれ、たっぷりの愛情をかけていること。第二に、猫同士の喧嘩から１年以上経過していること。第三に、喧嘩をする猫以外の同居猫が不穏な行動をしていないこと。第四に、トレーニング中、喧嘩が勃発したときに備え、押入れや高い場所等、猫が逃げ込む場所をいくつか作っておくこと。第五に、喧嘩する２匹の猫が、相手の猫を探す行動をとっていないこと。第六に、猫たちの爪を切っておくこと。第七に、猫の喧嘩が勃発したときに備え、水スプレーを猫の行動範囲にいくつか用意しておくこと。
【００４５】
前述の七つの要件をすべて満たしていることを確認してから、トレーニングを開始する。
【００４６】
まず最初に、トレーニング第一段階として、猫用マスク１００を２個用意し、相性が悪く喧嘩をしてしまう２匹の猫、それぞれに、１〜２分、猫のトレーニング用マスクを装着する。２匹の猫のうち、より攻撃的な性格の猫をＡ、攻撃を受けやすい性格の猫をＢとする。トレーニングの第一段階は、Ａ及びＢそれぞれの猫が、猫用マスク１００の装着に慣れることである。装着する場所は、お互いの存在が見えない場所で行うことが必要である。また、装着時間は１〜２分より長くならないようにする。
【００４７】
２匹の猫Ａ及びＢが、それぞれ、トレーニングマスク１００の装着感に慣れてきたら、次の日から、トレーニング第二段階に移行する。第二段階は、相手の匂いに慣れることであり、お互いのトレーニングマスク１００を交換して装着する。期間は、１週間程度、毎日５〜１０分程度、交互に、前日は喧嘩相手の猫がつけたトレーニングマスク１００を装着させる。すなわち、猫Ａは、前日猫Ｂが装着したトレーニングマスク１００を装着し、猫Ｂは、前日猫Ａが装着したトレーニングマスク１００を装着する。猫は、既に、トレーニングマスク１００の装着には慣れているが、相手の猫の匂いがついたトレーニングマスク１００を装着させることによって、じょじょに、相手の猫の匂いにも慣れていくようにする。
【００４８】
喧嘩相手の猫のマスクを装着しても嫌がらないようになり、喧嘩相手の猫の匂いに慣れた頃、トレーニング第三段階に移行する。
【００４９】
トレーニングの第三段階は、お互いの姿を見ることに慣れることである。まず、相性の悪い猫Ａ及びＢに、それぞれ、トレーニングマスク１００を装着させ、猫Ｂをガラス窓のある部屋に入れ、猫Ａは部屋の外におき、お互いの姿を、ガラス窓越しに見せるようにする。
【００５０】
その次は、相性の悪い猫Ａ及びＢに、それぞれトレーニングマスク１００を装着させ、猫Ａを窓のある部屋に入れ、猫Ｂは部屋の外におき、窓を開け網戸だけ閉めた状態にして、網戸越しに、お互いの姿を見せる。
【００５１】
お互いトレーニングマスク１００を装着した状態で、網戸越しにお互いの姿を見ることに慣れてきたらトレーニング第四段階に移行する。次は、相性の悪い２匹の猫のうち、より攻撃的な側の猫である猫Ａにトレーニングマスク１００を装着しておき、猫Ｂにはトレーニングマスク１００を装着しない状態にする。そして、猫Ｂのみをケージにいれる。猫用マスク１００を装着した猫Ａはケージの外におく。猫Ａが、ケージに入った猫Ｂに対し、威嚇したり、興奮した動作をした場合は、猫Ａに水スプレーで水をかけ、すぐにトレーニングを切り上げ、猫Ａと猫Ｂを遠ざける。猫Ａが、ケージに入った猫Ｂを見ても威嚇しないでいられる時間が少しずつ長くなるよう、毎日、数分ずつ、訓練を行う。
【００５２】
第三段階のトレーニングを数週間行い、猫Ａが、ケージに入った猫Ｂを見ても威嚇せず、お互いの猫が興奮することなく、普段の生活が送れるようになったら、トレーンニング第四段階に移行する。第四段階は、猫Ａ及び猫Ｂどちらもトレーニングマスク１００を装着させたうえで、ケージから出して同じ部屋に滞在させ、お互いの匂いと存在に慣れさせる。
【００５３】
第四段階は、猫Ａ及び猫Ｂに、それぞれトレーニングマスク１００を装着した状態で、同じ部屋で、一緒に過ごす時間を短時間もうける。時間は、最初は数分にしておき、じょじょに長くしていく。
【００５４】
同じ部屋に猫Ａ及びＢを放すにあたって、準備すべきことは、部屋の数箇所に、水スプレーを準備しておくことである。水スプレーは、猫同士の喧嘩が勃発したときに、猫の興奮を鎮めるために使う。また、同じ部屋に猫Ａ及び猫Ｂを放している間は、飼い主は、猫Ａ及び猫Ｂから目を離さないようにする必要がある。
【００５５】
同じ部屋にいても猫同士の喧嘩が起こらないことを確認できたら、次に、１匹だけ猫用マスク１００を外してやる。できれば、性格が大人しいほう（攻撃的でなく、喧嘩になったとき受け身になる側）の猫Ｂの猫用マスク１００を外す。１匹だけ猫用マスク１００を外した状態で、同じ部屋の中で二匹の猫を観察し、喧嘩が起こらないことを数日間確認し、その後、もう一方の猫の猫用マスク１００も外してやる。
【００５６】
大体、数ヶ月の訓練で、猫同士がお互いの存在に少しずつ慣れ、同じ部屋にいても威嚇したり喧嘩したりしなくなる。
【００５７】
上記は、相性の悪い二匹の猫での訓練方法を記載したが、攻撃的で喧嘩しやすい二匹以上の複数の猫を、トレーニングすることも可能である。二匹以上の猫を同時に訓練するときは、トレーニングマスク１００を猫の数だけ用意し、第二段階では、どの猫用マスク１００もローテーションで順番に装着していくこと、第三段階では、順番に猫同士をガラス窓越し又は網戸越しに引きあわせるようにし、ケージを猫の数と同じ数用意して、順番に１匹ずつ猫をケージから出し、トレーニングを行うようにする。
【００５８】
（実施の形態２）
以下、図６〜図９を参照し、実施の形態２にかかる猫用マスク２００の構成を説明する。この猫用マスク２００は、猫を多頭飼いしている状況下で、猫同士の喧嘩を抑制し、喧嘩が勃発しても猫に怪我を負わせないために猫に装着して使用するものである。実施の形態２の猫用マスク２００では、とくに、動きの激しい猫や、猫用マスク２００を嫌がって自分で外そうとしてしまう猫に装着できるよう、首輪Ｃに固定できるよう首輪用ループ２３、２４及び２５を備えていることを特徴とする。首輪用ループ２３、２４及び２５で首輪Ｃに固定できるため、猫同士で激しい喧嘩が勃発したときでも、猫用マスク２００が外れてしまうようなことがなく、猫の頭部を確実に保護することができる。
【００５９】
図６に示すように、この猫用マスク２００は、未使用時の平面視、中央部分の上半分が略長方形状の額覆部１６、中央部分の下半分が逆台形の目鼻覆部１１が設けられている。額覆部１６は、猫に装着したとき猫の額を覆う。目鼻覆部１１は、猫に装着したとき、目と鼻の辺りに位置する。目鼻覆部１１は、猫の視界を妨げず、また、呼吸を妨げないよう、通気性の良いメッシュ生地素材でできている。また、額覆部１６、目鼻覆部１１、右頬帯１２及び左頬帯１３は、猫の顔面を覆うことができるよう立体的になるように縫いあわされて形成されている。
【００６０】
猫用マスク２００の額覆部１６及び目鼻覆部１１の左右には、それぞれ右頬帯１２及び左頬帯１３が設けられている。右頬帯１２及び左頬帯１３の、額覆部１６と接する側と対向する側の先端は帯状に細長くなっており、右頬帯１２の表面に留め具１４として面ファスナーのフック面が設けられている。留め具１４は、留め合わせる位置を調節できるよう、ある程度の長さを持ったものが取り付けられている。本実施の形態１では留め具１４は、細長い長方形状の面ファスナーフック面となっている。
【００６１】
図７は、図６に示した猫用マスク２００の底面図である。図２に示すように、左頬帯１３の裏面に留め具１５として面ファスナーのループ面が取付けられている。留め具１５も、留め合わせる位置を調節できるよう、ある程度の長さを持ったものが取り付けられている。本実施の形態２では留め具１５は細長い長方形状の面ファスナーループ面となっている。
【００６２】
留め具１４及び留め具１５は本実施の形態２では面ファスナーが縫い付けられているが、留め具１４及び留め具１５は、面ファスナーのほか、ボタンやホック、ファスナー等としても良い。留め具１４と留め具１５を猫の顎の下で留め合わせることによって、猫用マスク２００を猫に、しっかりと固定する。
【００６３】
額覆部１６の右上側と左上側には、細長い帯状物である右上ベルト１７及び左上ベルト１８が設けられている。図６に示すように、右上ベルト１７の先端表面には留め具１９として面ファスナーのループ面が取り付けられている。図７に示すように、左上ベルト１８の裏面には留め具２０として面ファスナーのフック面が取付けられている。留め具１９及び留め具２０は、留め合わせる位置を調節できるよう、ある程度の長さを持ったものが取り付けられている。本実施の形態１では留め具１９及び留め具２０は細長い長方形状の面ファスナーフック面となっている。
【００６４】
額覆部１６の真上側、すなわち、右上ベルト１７と左上ベルト１８との間には、頭頂ベルト２１が設けられている。図７に示すように、頭頂ベルト２１の先端表面には留め具２２として、面ファスナーのフック面が取り付けられている。図６に示すように、左上ベルト１８の先端表面には留め具２４として面ファスナーのループ面が取り付けられている。留め具２４は、留め合わせる位置を調節できるよう、ある程度の長さを持ったものが取り付けられている。本実施の形態２では留め具２４は細長い長方形状の面ファスナーフック面となっている。
【００６５】
頭頂ベルト２１は、右耳と左耳の間を通って後頭部で左上ベルト１８と交わり、頭頂ベルト２１の先端裏面に設けられた留め具２２と左上ベルト１８の表面に設けられた留め具２４とを留め合わせることにより、猫用マスク２００を猫の頭部にしっかりと固定する。
【００６６】
さらに本実施の形態２では、右頬帯１２と右上ベルト１７との境目部分、左頬帯１３と左上ベルト１８との境目部分及び頭頂ベルト２１の先端の三箇所にループ状の紐を縫い付けた首輪用ループ２３、２４及び２５が設けられている。首輪用ループ２３、２４及び２５は、猫用の首輪Ｃが通せるくらいの大きさのループとなっている。首輪用ループ２３、２４のループの直径はおよそ１センチから２センチ程度が望ましい。また、首輪用ループ２３は、２４は紐で形成するほか、ゴムで形成したり、直径１センチから２センチの金属の輪を取り付けても良い。
【００６７】
本実施の形態では、留め具１９と２０、留め具２２と２４は、それぞれ面ファスナーを用いているが、カギホック、ボタン、その他の留め具としても良い。右上ベルト１７及び左上ベルト１８の長さは、猫に装着したときに、右上ベルト１７と左上ベルト１８が、それぞれ耳の下側を通って、それぞれ後頭部で留められるのに十分な長さがあればよい。右上ベルト１７と左上ベルト１８の具体的寸法は、中型猫用のトレーニングマスクの場合、１０センチから２０センチまでが良い。
【００６８】
次に、図８から図９を参照して、本実施の形態２にかかる猫用マスクの装着方法について説明する
【００６９】
まず、猫用マスク２００を猫に装着する場合、装着する猫をよく観察し、体調に問題がなく、また、興奮しておらず、気持ちが落ち着いていることを確認する。猫が落ち着かない様子のときは、無理に装着しないようにする。また、猫にトレーニングマスクを装着するのは、飼い主または猫が警戒しない人間が行うようにする。
【００７０】
最初に、猫用マスク２００の右頬帯１２及び左頬帯１３の留め具１４及び１５を予め留め合わせておく。さらに、首輪用ループ２４と２５を首輪Ｃに通しておく。それから、猫用マスクを持ち、猫をびっくりさせないよう背後ではなく正面から猫に近づいて、猫用マスク２００の下側を猫の顎にかぶせる。さらに、猫の顔面に額覆部１６及びメッシュ部１１をあてがい、猫の頭の上に頭頂ベルト２１を沿わせ、右上ベルト１７と左上ベルト１８を両耳の下に沿わせて先端にある留め具１９と留め具２０、留め具２２と留め具２４を猫の後頭部中央で、すばやく留め合わせる。さらに、首輪用ループ２５のループに首輪Ｃを通して、首輪Ｃを猫の首に装着する。
【００７１】
猫用マスク２００を装着している猫を右側から見ると、図８のように、頬の下で首輪用ループ２３に首輪Ｃが通されて、猫用マスク２００が猫の頭部にしっかりと固定されている。そして、猫用マスク２００を装着している猫を背後から見ると、図９のように、耳の下で右上ベルト１７と左上ベルト１８が留めあわされている。
【００７２】
目鼻覆部１１は、本実施の形態２ではメッシュ素材でできているので、猫の視界を遮らず、猫にかかるストレスが少ない。また、濃い色のメッシュ素材を使用しているので、薄い色のメッシュを通して外を見るよりも良好な視界を確保できる。本実施の形態１では、目鼻覆部１１をメッシュ素材としたが、メッシュ素材以外にも、透明な素材（ビニール等）や、半透明な薄いプラスチックシートで目鼻覆部１１を形成しても良い。ビニール素材やプラスックシートで目鼻覆部１１を形成するときは、鼻があたる場所に小さな呼吸用の穴をあけておくと良い。
【００７３】
また、猫用マスク２００の装着を初めて行うときは、  右頬帯１２及び左頬帯１３の長さを十分にとって、きつくない位置で留め具１４及び１５を留め合わせるようにする。慣れてきたら、じょじょに、きつい位置で留め合わせる。
【００７４】
それぞれの猫の、その日の体調や、その日の機嫌を見ながら、猫にかかるストレスが少なくなるよう、最適な締め付け具合になるよう、留め具１４と留め具１５とを留め合わせる位置を調節すると良い。
【００７５】
猫用マスク２００を初めて装着する時は、装着時間は１〜２分間とする。あまり無理をしないように、途中で猫が嫌がるようなら、すぐに猫用マスク２００を外してやるのが良い。
【００７６】
猫用マスク２００は、右頬帯１２及び左頬帯１３の留め具１４及び１５を留め合わせる位置を数段階に調節できるので、食事のときは、留めあわせる位置を外側にすれば、口の開閉ができ、猫用マスク２００を装着したまま食事ができる。食事後は、留め具１４及び１５を留め合わせる位置を内側にする。
【００７７】
最初のうちは、猫がストレスを感じないよう、口の開閉ができる緩めの位置で留め合わせるようにし、慣れてきたら、口の開閉ができないよう、きつめに留め合わせるようにする。留め具１４と留め具１５の留め合わせ位置は、適時、猫の様子を見ながら調整し、猫がストレスを感じないような位置を確認しつつ装着する。
【００７８】
猫用マスク２００の装着感に慣れてもらうため、毎日短時間ずつで良いので、猫用マスク２００を猫に装着するようにする。最初は嫌がっても、段々と、装着感に慣れて、外そうとしなくなるので、それまで辛抱強く、毎日、すこしずつ装着する訓練をする。
【符号の説明】
【００７９】
１００，２００  猫用トレーニングマスク
１１  目鼻覆部
１２  右頬帯
１３  左頬帯
１４、１５  留め具
１６  額覆部
１７  右上ベルト
１８  左上ベルト
１９、２０、２４  留め具
２１  頭頂ベルト
２２  留め具
２３、２４、２５  首輪用ループ
Ｃ    猫
Ｋ    首輪
【図１】
2015080472.tif 000003
【図２】
2015080472.tif 000004
【図３】
2015080472.tif 000005
【図４】
2015080472.tif 000006
【図５】
2015080472.tif 000007
【図６】
2015080472.tif 000008
【図７】
2015080472.tif 000009
【図８】
2015080472.tif 000010
【図９】
2015080472.tif 000011